(57)【要約】【課題】ＰＯＮシステムにおける帯域効率を維持しつつ、特定の基地局装置から送信されるデータの低遅延化を図る。【解決手段】光ファイバ伝送を実現するＰＯＮシステムであって、ＢＢＵ／ＲＲＨ２９は、配下のＵＥ３３との通信手順に基づいて、ＵＥ３３からデータを受信する前に、ＯＮＵ２１に対して、データの送信を事前に通知するための予約レポートを送信し、予約レポートを送信した後、ＵＥ３３から受信したデータをＯＮＵ２１に送信し、ＯＮＵ２１は、ＢＢＵ／ＲＲＨ２９から予約レポートを受信した場合、予約レポートをバッファに保存し、その後、ＯＬＴ１５から送信許可信号を受信したときに、ＯＬＴ１５に対して帯域要求を行ない、ＢＢＵ／ＲＲＨ２９からデータを受信した後、ＯＬＴ１５から送信タイミングが通知されたときに、データをＯＬＴ１５に送信する。【選択図】図５
2018082406.tif 000002
【特許請求の範囲】
【請求項１】
ＯＬＴ（Optical Line Terminal）と少なくとも一つのＯＮＵ（Optical Network Unit）とが光分岐器を介して接続されると共に、前記ＯＮＵと少なくとも一つの基地局装置とが接続され、光ファイバ伝送を実現するＰＯＮ（Passive Optical Network）システムであって、
前記基地局装置は、
配下の端末装置との通信手順に基づいて、前記端末装置からデータを受信する前に、前記ＯＮＵに対して、データの送信を事前に通知するための予約レポートを送信し、前記予約レポートを送信した後、前記端末装置から受信したデータを前記ＯＮＵに送信し、
前記ＯＮＵは、
前記基地局装置から前記予約レポートを受信した場合、前記予約レポートを予約レポート用バッファに保存し、その後、前記ＯＬＴから送信許可信号を受信したときに、前記ＯＬＴに対して帯域要求を行ない、前記基地局装置からデータを受信した後、前記ＯＬＴから送信タイミングが通知されたときに、前記データを前記ＯＬＴに送信することを特徴とするＰＯＮシステム。
【請求項２】
ＯＬＴ（Optical Line Terminal）と少なくとも一つのＯＮＵ（Optical Network Unit）とが光分岐器を介して接続されると共に、前記ＯＮＵと少なくとも一つの基地局装置とが接続され、光ファイバ伝送を実現するＰＯＮ（Passive Optical Network）システムであって、
前記基地局装置は、
配下の端末装置との通信手順に基づいて、前記端末装置からデータを受信するまで、前記ＯＮＵに対して、データの送信を事前に通知するための予約レポートを１回以上送信し、前記端末装置からデータを受信したときは、前記ＯＮＵに対して前記受信したデータを送信し、
前記ＯＮＵは、
前記基地局装置から前記予約レポートまたは前記データを受信した場合、前記ＯＬＴから送信許可信号を受信したときに、前記ＯＬＴに対して帯域要求を行ない、前記ＯＬＴから送信タイミングが通知されたときに、前記予約レポートまたは前記データを前記ＯＬＴに送信することを特徴とするＰＯＮシステム。
【請求項３】
前記基地局装置は、前記端末装置から受信するデータが低遅延で伝送する必要がある場合に、前記予約レポートを前記ＯＮＵに送信することを特徴とする請求項１または請求項２記載のＰＯＮシステム。
【請求項４】
前記ＯＮＵは、前記基地局装置からデータを受信していない状態で、前記ＯＬＴから送信タイミングが通知されたときは、前記予約レポートを予約レポート用バッファに保存した状態で、前記ＯＬＴに対して再度帯域要求を行なうことを特徴とする請求項１記載のＰＯＮシステム。
【請求項５】
前記基地局装置は、前記ＯＮＵから前記ＯＬＴへ一度に送信できるデータ量よりも大きいデータ量の予約レポートを送信し、
前記ＯＮＵは、前記基地局装置からデータを受信していない状態で、前記ＯＬＴから送信タイミングが通知されたときは、前記予約レポートの一部を送信すると共に、未送信の予約レポートを送信データ用バッファに残している状態で、前記ＯＬＴに対して再度帯域要求を行なうことを特徴とする請求項２記載のＰＯＮシステム。
【請求項６】
前記ＯＮＵは、前記基地局装置からデータを受信するまで、1回以上の予約レポートを受信し、前記基地局装置からデータを受信していない状態で、前記ＯＬＴから送信タイミングが通知されたときは、送信データ用バッファに残っている予約レポートに基づいて、前記ＯＬＴに対して再度帯域要求を行なうことを特徴とする請求項２記載のＰＯＮシステム。
【請求項７】
前記ＯＮＵは、前記ＯＬＴから周期的に受信するＧａｔｅメッセージを配下の基地局装置に通知し、
前記基地局装置は、前記通知されたＧａｔｅメッセージで示されるポーリング周期に基づいて、前記端末装置からデータを受信する第１のタイミングとその後にＧａｔｅメッセージを受信する第２のタイミングとの期間が、予め定められた閾値よりも大きいか否かを判定し、前記判定の結果、前記期間が前記閾値よりも大きい場合は、前記第２のタイミングで通知されるＧａｔｅメッセージの一つ前のＧａｔｅメッセージの直前に前記予約レポートを前記ＯＮＵに送信することを特徴とする請求項１から請求項６のいずれかに記載のＰＯＮシステム。
【請求項８】
前記基地局装置は、前記判定の結果、前記期間が前記閾値よりも小さい場合は、前記予約レポートを送信せず、前記第１のタイミングで前記端末装置から受信したデータを前記ＯＮＵに送信することを特徴とする請求項７記載のＰＯＮシステム。
【請求項９】
前記ＯＮＵは、前記基地局装置からデータを受信したときに、前記予約レポート用バッファに保存してある予約レポートを破棄することを特徴とする請求項１または請求項４記載のＰＯＮシステム。
【請求項１０】
ＯＬＴ（Optical Line Terminal）と少なくとも一つのＯＮＵ（Optical Network Unit）とが光分岐器を介して接続されると共に、前記ＯＮＵと少なくとも一つの基地局装置とが接続され、光ファイバ伝送を実現するＰＯＮ（Passive Optical Network）システムに適用される基地局装置であって、
前記ＯＮＵおよび配下の端末装置と通信を行なう通信インタフェースと、
前記端末装置との通信手順に基づいて、前記端末装置からデータを受信する前に、前記ＯＮＵに対して、データの送信を事前に通知するための予約レポートを送信し、前記予約レポートを送信した後、前記端末装置から受信したデータを前記ＯＮＵに送信するＭＡＣ部と、を備えることを特徴とする基地局装置。
【請求項１１】
前記ＭＡＣ部は、
前記ＯＮＵから通知されたＧａｔｅメッセージで示されるポーリング周期に基づいて、前記端末装置からデータを受信する第１のタイミングとその後にＧａｔｅメッセージを受信する第２のタイミングとの期間が、予め定められた閾値よりも大きいか否かを判定し、前記判定の結果、前記期間が前記閾値よりも大きい場合は、前記第２のタイミングで通知されるＧａｔｅメッセージの一つ前のＧａｔｅメッセージの直前に前記予約レポートを前記ＯＮＵに送信することを特徴とする請求項１０記載の基地局装置。
【請求項１２】
前記ＭＡＣ部は、前記判定の結果、前記期間が前記閾値よりも小さい場合は、前記予約レポートを送信せず、前記第１のタイミングで前記端末装置から受信したデータを前記ＯＮＵに送信することを特徴とする請求項１１記載の基地局装置。
【請求項１３】
ＯＬＴ（Optical Line Terminal）と少なくとも一つのＯＮＵ（Optical Network Unit）とが光分岐器を介して接続されると共に、前記ＯＮＵと少なくとも一つの基地局装置とが接続され、光ファイバ伝送を実現するＰＯＮ（Passive Optical Network）システムに適用されるＯＮＵであって、
前記ＯＬＴおよび配下の基地局装置と通信を行なうＯＮＵ用通信インタフェースと、
データの送信を事前に通知するための予約レポートを保存する予約レポート用バッファと、
前記基地局装置から前記予約レポートを受信した後、前記ＯＬＴから送信許可信号を受信したときに、前記ＯＬＴに対して帯域要求を行ない、前記基地局装置からデータを受信した後、前記ＯＬＴから送信タイミングが通知されたときに、前記データを前記ＯＬＴに送信するＯＮＵ用ＭＡＣ部と、を備えることを特徴とするＯＮＵ。
【請求項１４】
ＯＬＴ（Optical Line Terminal）と少なくとも一つのＯＮＵ（Optical Network Unit）とが光分岐器を介して接続されると共に、前記ＯＮＵと少なくとも一つの基地局装置とが接続され、光ファイバ伝送を実現するＰＯＮ（Passive Optical Network）システムに適用されるＯＮＵであって、
前記ＯＬＴおよび配下の基地局装置と通信を行なうＯＮＵ用通信インタフェースと、
前記基地局装置からデータの送信を事前に通知するための予約レポートまたはデータを受信した場合、前記ＯＬＴから送信許可信号を受信したときに、前記ＯＬＴに対して帯域要求を行ない、前記ＯＬＴから送信タイミングが通知されたときに、前記予約レポートまたは前記データを前記ＯＬＴに送信するＯＮＵ用ＭＡＣ部と、を備えることを特徴とするＯＮＵ。
【請求項１５】
前記ＯＮＵ用ＭＡＣ部は、前記ＯＬＴから周期的に受信するＧａｔｅメッセージを配下の基地局装置に通知することを特徴とする請求項１３または請求項１４記載のＯＮＵ。
【請求項１６】
前記ＯＮＵ用通信インタフェースは、前記基地局装置から、前記ＯＬＴへ一度に送信できるデータ量よりも大きいデータ量の予約レポートを受信し、
前記ＯＮＵ用ＭＡＣ部は、前記基地局装置からデータを受信していない状態で、前記ＯＬＴから送信タイミングが通知されたときは、前記予約レポートの一部を送信すると共に、未送信の予約レポートを送信データ用バッファに残している状態で、前記ＯＬＴに対して再度帯域要求を行なうことを特徴とする請求項１５記載のＯＮＵ。
【請求項１７】
前記ＯＮＵ用通信インタフェースは、前記基地局装置からデータを受信するまで、１回以上の予約レポートを受信し、
前記ＯＮＵ用ＭＡＣ部は、前記基地局装置からデータを受信していない状態で、前記ＯＬＴから送信タイミングが通知されたときは、送信データ用バッファに残っている予約レポートに基づいて、前記ＯＬＴに対して再度帯域要求を行なうことを特徴とする請求項１５記載のＯＮＵ。
【請求項１８】
ＯＬＴ（Optical Line Terminal）と少なくとも一つのＯＮＵ（Optical Network Unit）とが光分岐器を介して接続されると共に、前記ＯＮＵと少なくとも一つの基地局装置とが接続され、光ファイバ伝送を実現するＰＯＮ（Passive Optical Network）システムの伝送方法であって、
前記基地局装置において、
配下の端末装置との通信手順に基づいて、前記端末装置からデータを受信する前に、前記ＯＮＵに対して、データの送信を事前に通知するための予約レポートを送信するステップと、
前記予約レポートを送信した後、前記端末装置から受信したデータを前記ＯＮＵに送信するステップと、
前記ＯＮＵにおいて、
前記基地局装置から前記予約レポートを受信した場合、前記予約レポートを予約レポート用バッファに保存するステップと、
前記ＯＬＴから送信許可信号を受信したときに、前記ＯＬＴに対して帯域要求を行なうステップと、
前記基地局装置からデータを受信した後、前記ＯＬＴから送信タイミングが通知されたときに、前記データを前記ＯＬＴに送信するステップと、を少なくとも含むことを特徴とする伝送方法。
【請求項１９】
ＯＬＴ（Optical Line Terminal）と少なくとも一つのＯＮＵ（Optical Network Unit）とが光分岐器を介して接続されると共に、前記ＯＮＵと少なくとも一つの基地局装置とが接続され、光ファイバ伝送を実現するＰＯＮ（Passive Optical Network）システムの伝送方法であって、
前記基地局装置において、
配下の端末装置との通信手順に基づいて、前記端末装置からデータを受信するまで、前記ＯＮＵに対して、データの送信を事前に通知するための予約レポートを１回以上送信するステップと、
前記端末装置からデータを受信したときは、前記ＯＮＵに対して前記受信したデータを送信するステップと、
前記ＯＮＵにおいて、
前記基地局装置から前記予約レポートまたは前記データを受信した場合、前記ＯＬＴから送信許可信号を受信したときに、前記ＯＬＴに対して帯域要求を行なうステップと、
前記ＯＬＴから送信タイミングが通知されたときに、前記予約レポートまたは前記データを前記ＯＬＴに送信するステップと、を少なくとも含むことを特徴とする伝送方法。
【発明の詳細な説明】
【技術分野】
【０００１】
本発明は、ＯＬＴ（Optical Line Terminal）と少なくとも一つのＯＮＵ（Optical Network Unit）とが光分岐器を介して接続されると共に、前記ＯＮＵと少なくとも一つの基地局装置とが接続され、光ファイバ伝送を実現する技術に関する。
【背景技術】
【０００２】
近年、移動通信網が提供する無線アクセスネットワークの高速化に伴って、基地局装置がカバーする領域（セル）が狭くなり、その結果、移動通信網を構成するために設置すべき基地局装置数が増大している。このため、複数の基地局装置を収容するためのネットワークとして、１本の光伝送路を複数の加入者で共有する受動光網（PON：Passive Optical Network）システムが検討されている。
【０００３】
ＰＯＮシステムでは、通信事業者の局に設置された１つの光伝送路終端装置（OLT：Optical Line Terminal）が光分岐器を介して複数の加入者側宅内端末（ONU：Optical Network Unit）と接続されている。ＯＬＴは、複数のＯＮＵ、例えば、６４台のＯＮＵに対して時分割多重方式により動的に上り帯域を割り当てることで、高い帯域利用効率を実現している。
【０００４】
特許文献１では、ＰＯＮ区間で上りデータを効率的に送信するため、固定帯域契約をしているＯＮＵに対し、少なくとも契約された固定帯域を確実に送信許可帯域として割り当てる方法が開示されている。
【先行技術文献】
【特許文献】
【０００５】
【特許文献１】特開２０１１−１４６７８０号公報
【発明の概要】
【発明が解決しようとする課題】
【０００６】
今後想定されている基地局装置や、Ｍ２Ｍ（Machine-to-Machine）等のアプリケーションでは、アクセス網における伝送遅延を１ミリ秒以内に収めることが要求されている。しかしながら、上り伝送がＴＤＭＡ（Time Division Multiple Access）ベースのＰＯＮシステムでは、ＯＬＴとＯＮＵ間の動的帯域割当（DBA :Dynamic Bandwidth Allocation）の制御により、最大でポーリング周期相当の遅延が生じてしまうため、上記アプリケーションへの適用が困難であった。
【０００７】
図８は、従来のＰＯＮシステムのシーケンスチャートである。ここでは、ＯＮＵ２１がＢＢＵ（Base Band Unit）／ＲＲＨ（Remote Radio Head）２９からデータを受信してから、そのデータをＯＬＴ１５に送信するまでのＰＯＮ伝送遅延が示されている。図８において、ＰＯＮシステムにおけるポーリング周期は、通常、数ミリ秒程度である。このポーリング周期が短いと、制御フレームが通信帯域を圧迫してしまう。なお、図８において、「Ｇａｔｅ」とは、ＯＬＴ１５が、ＯＮＵ２１に対し、いつからどれだけデータを送ってよいかを指示するフレームである。ＯＮＵ２１から要求がなければ、Ｒｅｐｏｒｔ分のみを指示する。「Ｒｅｐｏｒｔ」とは、ＯＮＵ２１からＯＬＴ１５へどれだけのデータを送りたいのかを帯域要求として送信するフレームである。すなわち、ＯＮＵ２１が配下のＢＢＵ／ＲＲＨ２９から取得するデータ量を通知する機能を有する。
【０００８】
また、特許文献１に開示されている技術では、特定のＯＮＵに対して固定帯域を割り当てるため、実際に通信が行なわれていない状況においても、その帯域を他のＯＮＵが利用することはできず、帯域効率が悪化してしまう。一方、固定帯域を割り当てられていない他のＯＮＵにとっては、大きな遅延やパケットロスが発生してしまう恐れがある。
【０００９】
本発明は、このような事情に鑑みてなされたものであり、ＰＯＮシステムにおける帯域効率を維持しつつ、特定の基地局装置から送信されるデータの低遅延化を図ることができるＰＯＮシステム、基地局装置、ＯＮＵおよび伝送方法を提供することを目的とする。
【課題を解決するための手段】
【００１０】
（１）上記の目的を達成するために、本発明は、以下のような手段を講じた。すなわち、本発明のＰＯＮシステムは、ＯＬＴ（Optical Line Terminal）と少なくとも一つのＯＮＵ（Optical Network Unit）とが光分岐器を介して接続されると共に、前記ＯＮＵと少なくとも一つの基地局装置とが接続され、光ファイバ伝送を実現するＰＯＮ（Passive Optical Network）システムであって、前記基地局装置は、配下の端末装置との通信手順に基づいて、前記端末装置からデータを受信する前に、前記ＯＮＵに対して、データの送信を事前に通知するための予約レポートを送信し、前記予約レポートを送信した後、前記端末装置から受信したデータを前記ＯＮＵに送信し、前記ＯＮＵは、前記基地局装置から前記予約レポートを受信した場合、前記予約レポートを予約レポート用バッファに保存し、その後、前記ＯＬＴから送信許可信号を受信したときに、前記ＯＬＴに対して帯域要求を行ない、前記基地局装置からデータを受信した後、前記ＯＬＴから送信タイミングが通知されたときに、前記データを前記ＯＬＴに送信することを特徴とする。
【００１１】
このように、基地局装置は、端末装置からデータを受信する前に、ＯＮＵに対して、データの送信を事前に通知するための予約レポートを送信し、予約レポートを送信した後、端末装置から受信したデータを前記ＯＮＵに送信し、ＯＮＵは、基地局装置から予約レポートを受信した場合、予約レポートを予約レポート用バッファに保存し、その後、ＯＬＴから送信許可信号を受信したときに、ＯＬＴに対して帯域要求を行ない、基地局装置からデータを受信した後、ＯＬＴから送信タイミングが通知されたときに、データを前記ＯＬＴに送信するので、ＰＯＮシステムにおけるＤＢＡに要する時間を削減することが可能となる。その結果、上り伝送の低遅延化を図ることが可能となる。
【００１２】
（２）また、本発明のＰＯＮシステムは、ＯＬＴ（Optical Line Terminal）と少なくとも一つのＯＮＵ（Optical Network Unit）とが光分岐器を介して接続されると共に、前記ＯＮＵと少なくとも一つの基地局装置とが接続され、光ファイバ伝送を実現するＰＯＮ（Passive Optical Network）システムであって、前記基地局装置は、配下の端末装置との通信手順に基づいて、前記端末装置からデータを受信するまで、前記ＯＮＵに対して、データの送信を事前に通知するための予約レポートを１回以上送信し、前記端末装置からデータを受信したときは、前記ＯＮＵに対して前記受信したデータを送信し、前記ＯＮＵは、前記基地局装置から前記予約レポートまたは前記データを受信した場合、前記ＯＬＴから送信許可信号を受信したときに、前記ＯＬＴに対して帯域要求を行ない、前記ＯＬＴから送信タイミングが通知されたときに、前記予約レポートまたは前記データを前記ＯＬＴに送信することを特徴とする。
【００１３】
このように、基地局装置は、配下の端末装置との通信手順に基づいて、端末装置からデータを受信するまで、ＯＮＵに対して、データの送信を事前に通知するための予約レポートを１回以上送信し、端末装置からデータを受信したときは、ＯＮＵに対して受信したデータを送信する。ＯＮＵは、基地局装置から予約レポートを受信した場合、ＯＬＴから送信許可信号を受信したときに、ＯＬＴに対して帯域要求を行ない、ＯＬＴから送信タイミングが通知されたときに、予約レポートをＯＬＴに送信する。帯域予約後、ＯＮＵは、基地局装置からデータを受信した場合、ＯＬＴから送信タイミングが通知されたときに、予約レポートまたはデータをＯＬＴに送信するので、ＰＯＮシステムにおけるＤＢＡに要する時間を削減することが可能となる。その結果、上り伝送の低遅延化を図ることが可能となる。
【００１４】
（３）また、本発明のＰＯＮシステムにおいて、前記基地局装置は、前記端末装置から受信するデータが低遅延で伝送する必要がある場合に、前記予約レポートを前記ＯＮＵに送信することを特徴とする。
【００１５】
このように、基地局装置は、端末装置から受信するデータが低遅延で伝送する必要がある場合に、予約レポートをＯＮＵに送信するので、アクセス網における伝送遅延を、例えば、１ミリ秒以内に収めることが要求されている場合に、その要求に応ずることが可能となる。
【００１６】
（４）また、本発明のＰＯＮシステムにおいて、前記ＯＮＵは、前記基地局装置からデータを受信していない状態で、前記ＯＬＴから送信タイミングが通知されたときは、前記予約レポートを予約レポート用バッファに保存した状態で、前記ＯＬＴに対して再度帯域要求を行なうことを特徴とする。
【００１７】
このように、ＯＮＵは、基地局装置からデータを受信していない状態で、ＯＬＴから送信タイミングが通知されたときは、予約レポートを予約レポート用バッファに保存した状態で、ＯＬＴに対して再度帯域要求を行なうので、基地局装置からデータを受信するまで、帯域を確保することができる。その結果、基地局装置からデータを受信すると直ちにデータをＯＬＴに送信することができるため、上り伝送の低遅延化を図ることが可能となる。
【００１８】
（５）また、本発明のＰＯＮシステムにおいて、前記基地局装置は、前記ＯＮＵから前記ＯＬＴへ一度に送信できるデータ量よりも大きいデータ量の予約レポートを送信し、前記ＯＮＵは、前記基地局装置からデータを受信していない状態で、前記ＯＬＴから送信タイミングが通知されたときは、前記予約レポートの一部を送信すると共に、未送信の予約レポートを送信データ用バッファに残している状態で、前記ＯＬＴに対して再度帯域要求を行なうことを特徴とする。
【００１９】
このように、基地局装置は、ＯＮＵからＯＬＴへ一度に送信できるデータ量よりも大きいデータ量の予約レポートを送信するので、帯域を確保することが可能となる。すなわち、基地局装置は、ポーリング周期を認識できないため、データを受信する前にＧａｔｅが来てしまうと、予約レポートを送信し、次のポーリング周期まで待機しなければならない。このような事態を回避することで上り伝送の低遅延化を図ることが可能となる。
【００２０】
（６）また、本発明のＰＯＮシステムにおいて、前記ＯＮＵは、前記基地局装置からデータを受信するまで、１回以上の予約レポートを受信し、前記基地局装置からデータを受信していない状態で、前記ＯＬＴから送信タイミングが通知されたときは、送信データ用バッファに残っている予約レポートに基づいて、前記ＯＬＴに対して再度帯域要求を行なうことを特徴とする。
【００２１】
このように、ＯＮＵは、基地局装置からデータを受信するまで、１回以上の予約レポートを受信するので、その都度、ＯＬＴに予約レポートを送信することができ、帯域を確保することが可能となる。すなわち、ＤＢＡ処理時間およびＯＬＴとＯＮＵとの往復遅延時間以内に、再度予約レポートを送信することにより、継続して帯域を確保することが可能となる。
【００２２】
（７）また、本発明のＰＯＮシステムにおいて、前記ＯＮＵは、前記ＯＬＴから周期的に受信するＧａｔｅメッセージを配下の基地局装置に通知し、前記基地局装置は、前記通知されたＧａｔｅメッセージで示されるポーリング周期に基づいて、前記端末装置からデータを受信する第１のタイミングとその後にＧａｔｅメッセージを受信する第２のタイミングとの期間が、予め定められた閾値よりも大きいか否かを判定し、前記判定の結果、前記期間が前記閾値よりも大きい場合は、前記第２のタイミングで通知されるＧａｔｅメッセージの一つ前のＧａｔｅメッセージの直前に前記予約レポートを前記ＯＮＵに送信することを特徴とする。
【００２３】
このように、ＯＮＵは、ＯＬＴから周期的に受信するＧａｔｅメッセージを配下の基地局装置に通知し、基地局装置は、通知されたＧａｔｅメッセージで示されるポーリング周期に基づいて、端末装置からデータを受信する第１のタイミングとその後にＧａｔｅメッセージを受信する第２のタイミングとの期間が、予め定められた閾値よりも大きいか否かを判定し、判定の結果、期間が閾値よりも大きい場合は、第２のタイミングで通知されるＧａｔｅメッセージの一つ前のＧａｔｅメッセージの直前に予約レポートをＯＮＵに送信するので、基地局装置からデータを受信するまで、帯域を確保することができる。その結果、基地局装置からデータを受信すると直ちにデータをＯＬＴに送信することができるため、上り伝送の低遅延化を図ることが可能となる。
【００２４】
（８）また、本発明のＰＯＮシステムにおいて、前記基地局装置は、前記判定の結果、前記期間が前記閾値よりも小さい場合は、前記予約レポートを送信せず、前記第１のタイミングで前記端末装置から受信したデータを前記ＯＮＵに送信することを特徴とする。
【００２５】
このように、基地局装置は、判定の結果、期間が閾値よりも小さい場合は、予約レポートを送信せず、第１のタイミングで端末装置から受信したデータをＯＮＵに送信するので、予約レポートの送信により帯域を確保しなくても上り伝送の低遅延化を図ることが可能となる。
【００２６】
（９）また、本発明のＰＯＮシステムにおいて、前記ＯＮＵは、前記基地局装置からデータを受信したときに、前記予約レポート用バッファに保存してある予約レポートを破棄することを特徴とする。
【００２７】
このように、ＯＮＵは、基地局装置からデータを受信したときに、予約レポートバッファに保存してある予約レポートを破棄するので、次のデータ伝送をいつでも行なうことが可能となる。
【００２８】
（１０）また、本発明の基地局装置は、ＯＬＴ（Optical Line Terminal）と少なくとも一つのＯＮＵ（Optical Network Unit）とが光分岐器を介して接続されると共に、前記ＯＮＵと少なくとも一つの基地局装置とが接続され、光ファイバ伝送を実現するＰＯＮ（Passive Optical Network）システムに適用される基地局装置であって、前記ＯＮＵおよび配下の端末装置と通信を行なう通信インタフェースと、前記端末装置との通信手順に基づいて、前記端末装置からデータを受信する前に、前記ＯＮＵに対して、データの送信を事前に通知するための予約レポートを送信し、前記予約レポートを送信した後、前記端末装置から受信したデータを前記ＯＮＵに送信するＭＡＣ部と、を備えることを特徴とする。
【００２９】
この構成により、ＰＯＮシステムにおけるＤＢＡに要する時間を削減することが可能となる。その結果、上り伝送の低遅延化を図ることが可能となる。
【００３０】
（１１）また、本発明の基地局装置において、前記ＭＡＣ部は、前記ＯＮＵから通知されたＧａｔｅメッセージで示されるポーリング周期に基づいて、前記端末装置からデータを受信する第１のタイミングとその後にＧａｔｅメッセージを受信する第２のタイミングとの期間が、予め定められた閾値よりも大きいか否かを判定し、前記判定の結果、前記期間が前記閾値よりも大きい場合は、前記第２のタイミングで通知されるＧａｔｅメッセージの一つ前のＧａｔｅメッセージの直前に前記予約レポートを前記ＯＮＵに送信することを特徴とする。
【００３１】
この構成により、ＯＮＵにおいて、基地局装置からデータを受信するまで、帯域を確保することができる。その結果、基地局装置からデータを受信すると直ちにデータをＯＬＴに送信することができるため、上り伝送の低遅延化を図ることが可能となる。
【００３２】
（１２）また、本発明の基地局装置において、前記ＭＡＣ部は、前記判定の結果、前記期間が前記閾値よりも小さい場合は、前記予約レポートを送信せず、前記第１のタイミングで前記端末装置から受信したデータを前記ＯＮＵに送信することを特徴とする。
【００３３】
この構成により、予約レポートの送信により帯域を確保しなくても上り伝送の低遅延化を図ることが可能となる。
【００３４】
（１３）また、本発明のＯＮＵは、ＯＬＴ（Optical Line Terminal）と少なくとも一つのＯＮＵ（Optical Network Unit）とが光分岐器を介して接続されると共に、前記ＯＮＵと少なくとも一つの基地局装置とが接続され、光ファイバ伝送を実現するＰＯＮ（Passive Optical Network）システムに適用されるＯＮＵであって、前記ＯＬＴおよび配下の基地局装置と通信を行なうＯＮＵ用通信インタフェースと、データの送信を事前に通知するための予約レポートを保存する予約レポート用バッファと、前記基地局装置から前記予約レポートを受信した後、前記ＯＬＴから送信許可信号を受信したときに、前記ＯＬＴに対して帯域要求を行ない、前記基地局装置からデータを受信した後、前記ＯＬＴから送信タイミングが通知されたときに、前記データを前記ＯＬＴに送信するＯＮＵ用ＭＡＣ部と、を備えることを特徴とする。
【００３５】
この構成により、ＰＯＮシステムにおけるＤＢＡに要する時間を削減することが可能となる。その結果、上り伝送の低遅延化を図ることが可能となる。
【００３６】
（１４）また、本発明のＯＮＵは、ＯＬＴ（Optical Line Terminal）と少なくとも一つのＯＮＵ（Optical Network Unit）とが光分岐器を介して接続されると共に、前記ＯＮＵと少なくとも一つの基地局装置とが接続され、光ファイバ伝送を実現するＰＯＮ（Passive Optical Network）システムに適用されるＯＮＵであって、前記ＯＬＴおよび配下の基地局装置と通信を行なうＯＮＵ用通信インタフェースと、前記基地局装置からデータの送信を事前に通知するための予約レポートまたはデータを受信した場合、前記ＯＬＴから送信許可信号を受信したときに、前記ＯＬＴに対して帯域要求を行ない、前記ＯＬＴから送信タイミングが通知されたときに、前記予約レポートまたは前記データを前記ＯＬＴに送信するＯＮＵ用ＭＡＣ部と、を備えることを特徴とする。
【００３７】
このように、基地局装置から予約レポートを受信した場合、予約レポートを予約レポート用バッファに保存し、その後、ＯＬＴから送信許可信号を受信したときに、ＯＬＴに対して帯域要求を行ない、基地局装置からデータを受信した後、ＯＬＴから送信タイミングが通知されたときに、データを前記ＯＬＴに送信するので、ＰＯＮシステムにおけるＤＢＡに要する時間を削減することが可能となる。その結果、上り伝送の低遅延化を図ることが可能となる。
【００３８】
（１５）また、本発明のＯＮＵにおいて、前記ＯＮＵ用ＭＡＣ部は、前記ＯＬＴから周期的に受信するＧａｔｅメッセージを配下の基地局装置に通知することを特徴とする。
【００３９】
この構成により、基地局装置がポーリング周期を把握し、予約レポートを送信するかどうかを判断することが可能となる。
【００４０】
（１６）また、本発明のＯＮＵにおいて、前記ＯＮＵ用通信インタフェースは、前記基地局装置から、前記ＯＬＴへ一度に送信できるデータ量よりも大きいデータ量の予約レポートを受信し、前記ＯＮＵ用ＭＡＣ部は、前記基地局装置からデータを受信していない状態で、前記ＯＬＴから送信タイミングが通知されたときは、前記予約レポートの一部を送信すると共に、未送信の予約レポートを送信データ用バッファに残している状態で、前記ＯＬＴに対して再度帯域要求を行なうことを特徴とする。
【００４１】
このように、基地局装置から、ＯＬＴへ一度に送信できるデータ量よりも大きいデータ量の予約レポートを受信するので、データを受信するまで帯域を確保することが可能となる。
【００４２】
（１７）また、本発明のＯＮＵにおいて、前記ＯＮＵ用通信インタフェースは、前記基地局装置からデータを受信するまで、１回以上の予約レポートを受信し、前記ＯＮＵ用ＭＡＣ部は、前記基地局装置からデータを受信していない状態で、前記ＯＬＴから送信タイミングが通知されたときは、送信データ用バッファに残っている予約レポートに基づいて、前記ＯＬＴに対して再度帯域要求を行なうことを特徴とする。
【００４３】
このように、基地局装置からデータを受信するまで、１回以上の予約レポートを受信するので、その都度、ＯＬＴに帯域予約を行なうことにより、帯域を確保することが可能となる。すなわち、ＤＢＡ処理時間およびＯＬＴとＯＮＵとの往復遅延時間以内に、再度予約レポートを送信することにより、継続して帯域を確保することが可能となる。
【００４４】
（１８）また、本発明の伝送方法は、ＯＬＴ（Optical Line Terminal）と少なくとも一つのＯＮＵ（Optical Network Unit）とが光分岐器を介して接続されると共に、前記ＯＮＵと少なくとも一つの基地局装置とが接続され、光ファイバ伝送を実現するＰＯＮ（Passive Optical Network）システムの伝送方法であって、前記基地局装置において、配下の端末装置との通信手順に基づいて、前記端末装置からデータを受信する前に、前記ＯＮＵに対して、データの送信を事前に通知するための予約レポートを送信するステップと、前記予約レポートを送信した後、前記端末装置から受信したデータを前記ＯＮＵに送信するステップと、前記ＯＮＵにおいて、前記基地局装置から前記予約レポートを受信した場合、前記予約レポートを予約レポート用バッファに保存するステップと、前記ＯＬＴから送信許可信号を受信したときに、前記ＯＬＴに対して帯域要求を行なうステップと、前記基地局装置からデータを受信した後、前記ＯＬＴから送信タイミングが通知されたときに、前記データを前記ＯＬＴに送信するステップと、を少なくとも含むことを特徴とする。
【００４５】
このように、基地局装置は、端末装置からデータを受信する前に、ＯＮＵに対して、データの送信を事前に通知するための予約レポートを送信し、予約レポートを送信した後、端末装置から受信したデータを前記ＯＮＵに送信し、ＯＮＵは、基地局装置から予約レポートを受信した場合、予約レポートをバッファに保存し、その後、ＯＬＴから送信許可信号を受信したときに、ＯＬＴに対して帯域要求を行ない、基地局装置からデータを受信した後、ＯＬＴから送信タイミングが通知されたときに、データを前記ＯＬＴに送信するので、ＰＯＮシステムにおけるＤＢＡに要する時間を削減することが可能となる。その結果、上り伝送の低遅延化を図ることが可能となる。
【００４６】
（１９）また、本発明の伝送方法は、ＯＬＴ（Optical Line Terminal）と少なくとも一つのＯＮＵ（Optical Network Unit）とが光分岐器を介して接続されると共に、前記ＯＮＵと少なくとも一つの基地局装置とが接続され、光ファイバ伝送を実現するＰＯＮ（Passive Optical Network）システムの伝送方法であって、前記基地局装置において、配下の端末装置との通信手順に基づいて、前記端末装置からデータを受信するまで、前記ＯＮＵに対して、データの送信を事前に通知するための予約レポートを１回以上送信するステップと、前記端末装置からデータを受信したときは、前記ＯＮＵに対して前記受信したデータを送信するステップと、前記ＯＮＵにおいて、前記基地局装置から前記予約レポートまたは前記データを受信した場合、前記ＯＬＴから送信許可信号を受信したときに、前記ＯＬＴに対して帯域要求を行なうステップと、前記ＯＬＴから送信タイミングが通知されたときに、前記予約レポートまたは前記データを前記ＯＬＴに送信するステップと、を少なくとも含むことを特徴とする。
【００４７】
このように、基地局装置は、配下の端末装置との通信手順に基づいて、端末装置からデータを受信するまで、ＯＮＵに対して、データの送信を事前に通知するための予約レポートを１回以上送信し、端末装置からデータを受信したときは、ＯＮＵに対して受信したデータを送信し、ＯＮＵは、基地局装置から予約レポートまたはデータを受信した場合、ＯＬＴから送信許可信号を受信したときに、ＯＬＴに対して帯域要求を行ない、ＯＬＴから送信タイミングが通知されたときに、予約レポートまたはデータをＯＬＴに送信するので、ＰＯＮシステムにおけるＤＢＡに要する時間を削減することが可能となる。その結果、上り伝送の低遅延化を図ることが可能となる。
【発明の効果】
【００４８】
本発明によれば、ＰＯＮ区間のＤＢＡ処理時間の短縮を図ることが可能となり、低遅延が求められるシステムについてもＴＤＭＡベースのＰＯＮシステムを適用することが可能となる。
【図面の簡単な説明】
【００４９】
【図１】本実施形態に係るＰＯＮシステムの概要を示す図である。
【図２】ＴＤＭ−ＰＯＮシステムにおける上り伝送のシーケンスチャートである。
【図３Ａ】本実施形態に係るＯＬＴの概略構成を示す図である。
【図３Ｂ】本実施形態に係るＯＮＵの概略構成を示す図である。
【図３Ｃ】本実施形態に係る基地局装置の概略構成を示す図である。
【図４】実施例１のシーケンスチャートである。
【図５】実施例２のシーケンスチャートである。
【図６Ａ】ＯＮＵからＯＬＴへ予約レポートを送信しても、データがＯＮＵに届く前にＯＬＴからＯＮＵへＧａｔｅが届いてしまう場合を示す図である。
【図６Ｂ】実施例３のシーケンスチャートである。
【図７】実施例４のシーケンスチャートである。
【図８】従来のＰＯＮシステムのシーケンスチャートである。
【発明を実施するための形態】
【００５０】
本発明者らは、ＴＤＭ−ＰＯＮは、ＯＬＴ−ＯＮＵ間の帯域割当制御（ＤＢＡ）において、上り方向に最大でミリ秒オーダの遅延が生じるため、厳しい低遅延が求められるシステムへの適用が困難となっている点に着目し、基地局装置（BBUもしくはRRH）から上り方向にトラヒックを送信する場合、予め、ダミーデータとしての予約レポートを送信しておくことによって、ＰＯＮシステムの帯域割当スケジューラに継続したトラヒックが存在することを通知することができることを見出し、本発明に至った。
【００５１】
すなわち、本発明のＰＯＮシステムは、ＯＬＴ（Optical Line Terminal）と少なくとも一つのＯＮＵ（Optical Network Unit）とが光分岐器を介して接続されると共に、前記ＯＮＵと少なくとも一つの基地局装置とが接続され、光ファイバ伝送を実現するＰＯＮ（Passive Optical Network）システムであって、前記基地局装置は、配下の端末装置との通信手順に基づいて、前記端末装置からデータを受信する前に、前記ＯＮＵに対して、データの送信を事前に通知するための予約レポートを送信し、前記予約レポートを送信した後、前記端末装置から受信したデータを前記ＯＮＵに送信し、前記ＯＮＵは、前記基地局装置から前記予約レポートを受信した場合、前記予約レポートを予約レポート用バッファに保存し、その後、前記ＯＬＴから送信許可信号を受信したときに、前記ＯＬＴに対して帯域要求を行ない、前記基地局装置からデータを受信した後、前記ＯＬＴから送信タイミングが通知されたときに、前記データを前記ＯＬＴに送信することを特徴とする。
【００５２】
これにより、本発明者らは、ＰＯＮシステムにおけるＤＢＡに要する時間を削減することを可能とし、その結果、上り伝送の低遅延化を図ることを可能とした。以下、本発明の実施形態について、図面を参照しながら具体的に説明する。
【００５３】
図１は、本実施形態に係るＰＯＮシステムの概要を示す図である。このＰＯＮシステム１は、上位ネットワーク（ＮＷ）であるインターネット１１に接続されるＢＢＵ１３にＯＬＴ１５が接続されている。ＯＬＴ１５には、光ファイバ１７および光分岐器１９を介して、複数のＯＮＵ２１−１〜２１−４が接続されている。ＯＮＵ２１−１は、ＨＧＷ（Home Gateway）２３と接続され、ＵＥ２５と通信を行なう。ＯＮＵ２１−２は、ＲＲＨ２７と接続され、ＯＮＵ２１−３は、ＢＢＵ／ＲＲＨ２９と接続され、それぞれ配下の端末装置と通信を行なう。また、ＯＮＵ２１−４は、ＵＥ３１と接続され、通信を行なう。
【００５４】
図２は、ＴＤＭ−ＰＯＮシステムにおける上り伝送のシーケンスチャートである。ＵＥからＯＮＵにフレーム（データ）が送信される（ステップＳ１）。次に、ＯＬＴからＯＮＵへＧａｔｅ（送信許可）が送信されると（ステップＳ２）、ＯＮＵは、ＯＬＴに対して、Ｒｅｐｏｒｔ（バッファ量通知）を送信する（ステップＳ３）。次に、ＯＬＴは、ＯＮＵから受信したＲｅｐｏｒｔに基づいて、ＯＮＵに対して、Ｇａｔｅ（送信タイミング通知）を送信する（ステップＳ４）。ＯＮＵは、ステップＳ４で受信したＧａｔｅに基づいて、Ｒｅｐｏｒｔ（バッファ量通知）（ステップＳ５）とＵＥから受信したフレーム（データ）をＯＬＴに送信する（ステップＳ６）。本実施形態は、このような基本的なシーケンスチャートに新たな手順を追加するものである。
【００５５】
図３Ａは、本実施形態に係るＯＬＴの概略構成を示す図である。ＯＬＴ１５は、ＰＨＹ処理部１５ａ、ＭＡＣ部１５ｂおよび光送受信処理部１５ｃから構成されている。ＰＨＹ処理部１５ａは、上位側のネットワークと接続し、光送受信処理部１５ｃは、下位側のＰＯＮネットワークと接続する。ＭＡＣ部１５ｂは、ＯＮＵから帯域要求を受信する機能、ＯＮＵ毎に上り帯域の割り当てをするスケジューラとしての機能、および各ＯＮＵへ帯域割当情報を通知する機能を有する。
【００５６】
図３Ｂは、本実施形態に係るＯＮＵの概略構成を示す図である。ＯＮＵ２１は、光送受信処理部２１ａ、バッファ２１ｂ、ＭＡＣ部２１ｃおよびＰＨＹ処理部２１ｄから構成されている。光送受信処理部２１ａは、上位側のＰＯＮネットワークと接続し、ＰＨＹ部２１ｄは、下位側の基地局装置と接続する。バッファ２１ｂは、通常の用途として使用される送信データ用バッファ２１ｂ−１の他、基地局装置から受信した予約レポートを保存するための予約レポート用バッファ２１ｂ−２を備えている。ＭＡＣ部２１ｃは、トラヒックを受信する機能、基地局装置から受信した予約レポートを判別する機能、バッファ２１ｂの状況に基づいてＯＬＴに対して上り帯域を要求する機能、基地局装置からデータを受信したときに予約レポート用バッファ２１ｂ−２に保存されている予約レポートを破棄する機能、予約レポートを保持する時間をカウントするタイマー機能、基地局装置から予約レポートのみを受信したときにトラヒックをＯＬＴに送信しない機能、および、ＯＬＴから受信した帯域割当情報（Gate）を、下位側の基地局装置へ転送する機能を備えている。
【００５７】
図３Ｃは、本実施形態に係る基地局装置の概略構成を示す図である。基地局装置２９（２７）は、ＰＨＹ処理部２９ａ、ＭＡＣ部２９ｂおよびＲＦ（Radio Frequency）処理部２９ｃから構成されている。ＰＨＹ処理部２９ａは、上位側のネットワークと接続し、ＲＦ処理部２９ｃは、下位側の無線ネットワークを接続する。ＭＡＣ部２９ｂは、ＵＥからの帯域要求を受信する機能、ＵＥ毎の送信割り当てを行なうスケジューラとしての機能、各ＵＥへ送信割り当て情報を通知する機能、送信割り当て情報に基づいて予約レポートの作成および上位側へ送信する機能、および上位側からＧａｔｅフレームを受信し、Ｇａｔｅ間隔の判別を行なう機能を備えている。
【実施例１】
【００５８】
図４は、実施例１のシーケンスチャートである。ＯＮＵ２１は、ＯＬＴ１５から周期的に送信されるＧａｔｅメッセージを、Ｇａｔｅ（１）、Ｇａｔｅ（２）として配下のＢＢＵ／ＲＲＨ２９に通知する。ＢＢＵ／ＲＲＨ２９は、このＧａｔｅメッセージを受信し、ＰＯＮシステムのポーリング周期を把握する。
【００５９】
ＢＢＵ／ＲＲＨ２９は、ＵＥ３３から受信するＤａｔａのタイミングが、ＯＮＵ２１にＧａｔｅが来るタイミングと離れている場合（大きな遅延となる場合）は、その１つ前のＧａｔｅが来るタイミングに合わせて、予約レポートを送信する。すなわち、ＢＢＵ／ＲＲＨ２９は、Ｇａｔｅメッセージで示されるポーリング周期に基づいて、ＵＥ３３からＤａｔａを受信する第１のタイミング（Data#1のタイミング）と、その後にＧａｔｅメッセージを受信する第２のタイミング（Gate(2)のタイミング）との期間が、予め定められた閾値よりも大きいか否かを判定する。この閾値は、例えば、１００μｓとすることができる。
【００６０】
そして、この判定の結果、期間が閾値よりも大きい場合は、第２のタイミングで通知されるＧａｔｅメッセージ（Gate(2)）の一つ前のＧａｔｅメッセージ（Gate(1)）の直前に予約レポートをＯＮＵに送信する。
【００６１】
一方、図４において、Ｄａｔａ＃２のように、Ｇａｔｅ（２）が来るタイミングに近い時間でＤａｔａが送信する場合、ＢＢＵ／ＲＲＨ２９は、予約レポートを送信せず、そのままＤａｔａ＃２を送信する。
【００６２】
ＯＮＵ２１が、予約レポートを受信した場合、ＯＮＵ２１は、Ｇａｔｅメッセージを受信したタイミングで、ＯＬＴ１５に帯域を要求する。予約レポートは、ＯＮＵ２１内の予約レポート用バッファに保存し、ＯＬＴ１５へは送信しない。ＯＮＵ２１は、ＢＢＵ／ＲＲＨ２９からＤａｔａ＃１を受信するまで、予約レポートを保持する。
【００６３】
ＯＮＵ２１は、Ｄａｔａ＃１を受信する前に、帯域が割り当てられ、Ｇａｔｅにより送信タイミングが通知された場合、ＤａｔａをＯＬＴ１５へ送信せずに、Ｒｅｐｏｒｔによって次の時間の帯域を要求する。Ｄａｔａ＃１を受信するまで、この動作を繰り返す。
【００６４】
ＯＮＵ２１は、ＢＢＵ／ＲＲＨ２９からＤａｔａ＃１を受信した場合、予約レポートを、予約レポート用バッファから破棄する。
【００６５】
最後に、Ｄａｔａ受領後にＧａｔｅにより送信タイミングが通知された場合、ＤａｔａをＯＬＴ１５に送信する。
【００６６】
このように、実施例１によれば、ＯＮＵ２１は、ＢＢＵ／ＲＲＨ２９からデータを受信するまで、帯域を確保することができる。その結果、ＢＢＵ／ＲＲＨ２９からデータを受信すると直ちにデータをＯＬＴ１５に送信することができるため、上り伝送の低遅延化を図ることが可能となる。
【実施例２】
【００６７】
図５は、実施例２のシーケンスチャートである。実施例２では、ＯＮＵ２１のＭＡＣ部における「ＯＬＴから受信した帯域割当情報（Gate）を、下位側の基地局装置へ転送する機能」は使用されず、また、基地局装置のＭＡＣ部における「上位側からＧａｔｅフレームを受信し、Ｇａｔｅ間隔の判別を行なう機能」は使用されない。
【００６８】
図５において、ＢＢＵ／ＲＲＨ２９は、配下のＵＥ３３からＤａｔａを受信し、上位（ＯＮＵ２１）へ送信する際、トラヒックが低遅延で伝送する必要があるかどうかを判定する。その判定の結果、低遅延で伝送する必要があるトラヒックについては、Ｄａｔａが到着する前に予約レポートをＯＮＵ２１に送信する。
【００６９】
ＯＮＵ２１が予約レポートを受信した場合、ＯＮＵ２１は、Ｇａｔｅを受信したタイミングで、ＯＬＴ１５に帯域を要求する（Report）。また、ＯＮＵ２１は、予約レポートをＯＮＵ２１内の予約レポート用バッファに保存し、ＯＬＴ１５へは送信せず、ＢＢＵ／ＲＲＨ２９からＤａｔａを受信するまで、予約レポートを保持する。
【００７０】
ＯＮＵ２１は、ＢＢＵ／ＲＲＨ２９からＤａｔａを受信する前に、ＯＬＴ１５から帯域が割り当てられ、Ｇａｔｅにより送信タイミングが通知された場合、予約レポートを送信せずに、Ｒｅｐｏｒｔによって次の時間の帯域を要求する。Ｄａｔａを受信するまで、この動作を繰り返す。
【００７１】
次に、ＯＮＵ２１は、ＢＢＵ／ＲＲＨ２９からＤａｔａを受信した場合、予約レポート用バッファから予約レポートを破棄する。そして、ＢＢＵ／ＲＲＨ２９からＤａｔａを受信した後に、Ｇａｔｅにより送信タイミングが通知されたときに、ＯＬＴ１５に対してＤａｔａを送信する。
【００７２】
このように、実施例２によれば、ＰＯＮシステムにおけるＤＢＡに要する時間を削減することが可能となる。その結果、上り伝送の低遅延化を図ることが可能となる。
【実施例３】
【００７３】
実施例１、実施例２では、ＯＮＵ２１に予約レポート専用バッファが必要となるが、実施例３、実施例４では、予約レポート専用バッファを用いずに帯域予約を実現する。図６Ａは、ＯＮＵからＯＬＴへ予約レポートを送信しても、データがＯＮＵに届く前にＯＬＴからＯＮＵへＧａｔｅが届いてしまい、低遅延化を実現できない場合を示す図である。ＢＢＵ／ＲＲＨ２９は、ポーリング周期を認識しない場合、ＯＮＵ２１に予約レポートを送信しても、データがＯＮＵ２１に届く前にＯＬＴ１５からＧａｔｅが届いてしまうと、ＯＮＵ２１はＯＬＴ１５予約レポートを送信してしまうこととなる。こうなると、バッファに存在するデータが無くなってしまい、データが届いても、次のポーリング周期まで、待機しなければならなくなる。実施例３および後述する実施例４は、この課題を解消するものである。
【００７４】
図６Ｂは、実施例３のシーケンスチャートである。実施例３では、ＯＮＵ２１におけるバッファ２１ｂの送信データ用バッファ２１ｂ−１、ＭＡＣ部２１ｃにおけるトラヒックを受信する機能、バッファ２１ｂの状況に基づいてＯＬＴに対して上り帯域を要求する機能を使用する。また、実施例３では、ＢＢＵ／ＲＲＨ（基地局装置）２９のＭＡＣ部２９ｂにおけるＵＥからの帯域要求を受信する機能、ＵＥ毎の送信割り当てを行なうスケジューラとしての機能、各ＵＥへ送信割り当て情報を通知する機能、送信割り当て情報に基づいて予約レポートの作成および上位側へ送信する機能を使用する。
【００７５】
図６Ｂにおいて、任意のＯＮＵ２１の配下に接続されたＢＢＵ／ＲＲＨ２９は、配下のＵＥ３３からＤａｔａを受信するタイミングより早いタイミングで予約レポートをＯＮＵ２１へ送信する。ここで、予約レポートは、ＯＮＵ２１からＯＬＴ１５へ一度に送信できるトラヒック量よりも多いものとする。
【００７６】
ＯＮＵ２１は、予約レポートを受信した場合、ＯＬＴ１５から受信するＧａｔｅに従い、帯域要求（Report）を送信する。ＯＬＴ１５は、ＯＮＵ２１からのＲｅｐｏｒｔに従い、送信帯域を割り当て、Ｇａｔｅで通知する。ＯＮＵ２１は、このＧａｔｅに従い、予約レポートを送信する。ＯＮＵ２１は、一度で予約レポートのすべてを送信しきれないため、一部の予約レポートを送信すると共に、次の帯域をＯＬＴ１５に要求する。
【００７７】
ＢＢＵ／ＲＲＨ２９は、ＯＮＵ２１が予約レポートをＯＬＴ１５に送信する間に、ＵＥ３３から到着したＤａｔａをＯＮＵ２１へ送信する。ＯＮＵ２１は、予約レポートに続いて、ＤａｔａをＯＬＴ１５に送信する。
【００７８】
なお、ＯＮＵ２１は、ＢＢＵ／ＲＲＨ２９からＤａｔａが来るまでの間、予約レポートを複数回送信するように構成してもよい。
【００７９】
このように、実施例３によれば、ＢＢＵ／ＲＲＨ２９は、ＯＮＵ２１からＯＬＴ１５へ一度に送信できるトラヒック量よりも大きいトラヒック量の予約レポートを、ＯＮＵ２１に送信するので、ＯＮＵ２１は、ＯＬＴ１５に対し、最大の帯域を要求すると共に、送信しきれなかった分の帯域を確保することができる。また、ＯＮＵ２１は、ＯＬＴ１５から送信タイミングが通知されたときに、予約レポートの一部をＯＬＴ１５に送信すると共に再度帯域要求を行ない、ＯＬＴ１５から次の送信タイミングが通知されたときに、残りの予約レポートおよび基地局装置から受信したデータをＯＬＴ１５に送信するので、上り伝送の低遅延化を図ることが可能となる。
【実施例４】
【００８０】
図７は、実施例４のシーケンスチャートである。実施例４では、ＯＮＵ２１におけるバッファ２１ｂの送信データ用バッファ２１ｂ−１、ＭＡＣ部２１ｃにおけるトラヒックを受信する機能、バッファ２１ｂの状況に基づいてＯＬＴに対して上り帯域を要求する機能を使用する。また、実施例４では、基地局装置の２９のＭＡＣ部２９におけるＵＥからの帯域要求を受信する機能、ＵＥ毎の送信割り当てを行なうスケジューラとしての機能、各ＵＥへ送信割り当て情報を通知する機能、送信割り当て情報に基づいて予約レポートの作成および上位側へ送信する機能を使用する。
【００８１】
図７において、任意のＯＮＵ２１の配下に接続されたＢＢＵ／ＲＲＨ２９は、配下のＵＥ３３からＤａｔａを受信するタイミングより早いタイミングで予約レポートをＯＮＵ２１へ送信する。データの量は、実施例３とは異なり、ＯＮＵからＯＬＴへ一度で送信可能な帯域である。このため、実施例４では、複数回、予約レポートを送信して帯域を確保する。
【００８２】
ＯＮＵ２１は、予約レポートを受信した場合、ＯＬＴ１５から受信するＧａｔｅに従い、帯域要求（Report）を送信する。ＯＬＴ１５は、ＯＮＵ２１からのＲｅｐｏｒｔに従い、送信帯域を割り当て、Ｇａｔｅで通知する。ＯＮＵ２１は、このＧａｔｅに従い、予約レポートを送信する。
【００８３】
図７に示すように、実施例４では、ＤＢＡ処理時間（帯域割当時間およびＯＬＴとＯＮＵとの往復遅延時間）以内に、再度、予約レポートを送信する。予約レポートを送信する間隔は、ＯＮＵ２１において、バッファ（送信データ用バッファ２１ｂ−１）で予約レポートをＯＮＵが受信してからＯＬＴに送信されるまでの時間よりも短いため、複数の予約レポートが重複してバッファに保存されることとなる。このように、ＢＢＵ／ＲＲＨ２９からＯＮＵ２１へ、複数回、予約レポートを送信することによって、継続して帯域を確保することが可能となる。
【００８４】
ＢＢＵ／ＲＲＨ２９は、ＯＮＵ２１が予約レポートをＯＬＴ１５に送信する間に、ＵＥ３３から到着したＤａｔａをＯＮＵ２１へ送信する。ＯＮＵ２１は、予約レポートに続いて、ＤａｔａをＯＬＴ１５に送信する。
【００８５】
このように、実施例４によれば、ＢＢＵ／ＲＲＨ２９は、ＤＢＡ処理時間（Gate作成時間）およびＯＬＴとＯＮＵとの往復遅延時間以内に、予約レポートを送信するので、ＯＮＵ２１は、ＯＬＴ１５に対し、継続して帯域を確保することができる。また、ＯＮＵ２１は、ＯＬＴ１５から送信タイミングが通知されたときに、基地局装置から受信したデータを予約レポートよりも優先してＯＬＴ１５に送信するので、上り伝送の低遅延化を図ることが可能となる。
【符号の説明】
【００８６】
１  ＰＯＮシステム
１１  インターネット
１３  ＢＢＵ
１５  ＯＬＴ
１５ａ  ＰＨＹ処理部
１５ｂ  ＭＡＣ部
１５ｃ  光送受信処理部
１７  光ファイバ
１９  光分岐器
２１−１〜２１−４  ＯＮＵ
２１ａ  光送受信処理部
２１ｂ  バッファ
２１ｂ−１  送信データ用バッファ
２１ｂ−２  予約レポート用バッファ
２１ｃ  ＭＡＣ部
２１ｄ  ＰＨＹ処理部
２３  ＨＧＷ
２５  ＵＥ
２９（２７）  ＢＢＵ／ＲＲＨ（基地局装置）
２９ａ  ＰＨＹ処理部
２９ｂ  ＭＡＣ部
２９ｃ  ＲＦ処理部
３１  ＵＥ
３３  ＵＥ
【図１】
2018082406.tif 000003
【図２】
2018082406.tif 000004
【図３Ａ】
2018082406.tif 000005
【図３Ｂ】
2018082406.tif 000006
【図３Ｃ】
2018082406.tif 000007
【図４】
2018082406.tif 000008
【図５】
2018082406.tif 000009
【図６Ａ】
2018082406.tif 000010
【図６Ｂ】
2018082406.tif 000011
【図７】
2018082406.tif 000012
【図８】
2018082406.tif 000013